(57)【要約】【課題】基板ケースを破壊することなく長期にわたって再利用可能とする。【解決手段】基板ケース１のケース固定部１１，２１と封印カバー３０の第一カバー固定部３１に単一のケース封印具４１を装着することにより、基板ケース１の本体２０及び蓋体１０及び封印カバー３０を一体的に固定し、基体２の基体固定部７３と封印カバー３０の第二カバー固定部３３に単一の基体封印具４２を装着することにより、封印カバー３０を基体２に固定し、基体封印具４２を破壊することにより基板ケース１を基体２から取り外し可能とし、ケース封印具４１を破壊することにより制御基板Ｐを基板ケース１から取り出し可能とし、ケース封印具４１を破壊しただけでは、基板ケース１を基体２から取り外し不能とした。【選択図】図１
2010178769.tif 000002
【特許請求の範囲】
【請求項１】
制御基板を収納する本体及び蓋体から構成される基板ケースと、
前記基板ケースを取り付けるための遊技機内部に固定される基体と、
前記基板ケース及び前記基体に固定される封印カバーと、
一度装着するとその一部を破壊しない限り取り外し不能となる封印具とから構成される制御基板の封印構造であって、
前記封印具として、前記基板ケースと前記封印カバーを固定するためのケース封印具と、前記封印カバーと前記基体を固定するための基体封印具とを設け、
前記基板ケースの一方の端部側には、前記本体及び蓋体を組み合わせた状態で前記ケース封印具を装着可能なケース固定部を設け、
前記基体の一方の端部側には、前記基体封印具を装着可能な基体固定部を設け、
前記封印カバーの一方の端部側には、前記ケース封印具を装着可能な第一カバー固定部を設けるとともに、他方の端部側には、前記基体封印具を装着可能な第二カバー固定部を設け、
前記基板ケースのケース固定部と前記封印カバーの第一カバー固定部に単一のケース封印具を装着することにより、前記基板ケースの本体及び蓋体及び封印カバーを一体的に固定し、
前記基体の基体固定部と前記封印カバーの第二カバー固定部に単一の基体封印具を装着することにより、前記封印カバーを前記基体に固定し、
前記基体封印具を破壊することにより前記基板ケースを前記基体から取り外し可能とし、前記ケース封印具を破壊することにより前記制御基板を前記基板ケースから取り出し可能とし、前記ケース封印具を破壊しただけでは、前記基板ケースを前記基体から取り外し不能としたことを特徴とする制御基板の封印構造。
【請求項２】
前記基体において前記基体固定部と反対側の他方の端部側に、前記基板ケースを支持するための係合部を設け、
前記基板ケースにおいて前記ケース固定部と反対側の他方の端部側に、前記係合部と係合可能な被係合部を設け、
前記係合部及び被係合部を係合させた後に、前記封印カバーの第二カバー固定部と前記基体固定部に前記基体封印具を装着することにより、前記基板ケースを前記基体に固定することを特徴とする請求項１記載の制御基板の封印構造。
【請求項３】
前記ケース固定部は、前記基板ケースの基体への取り付け時に上下に位置する面の少なくともいずれか一方設けられ、
前記封印カバーは、前記基板ケースの基体への取り付け時に、基板ケースの正面側となる面及びいずれかの側面となる面を覆うように形成されているとともに、前記第一カバー固定部及び前記ケース固定部に装着したケース封印具を回動中心として前記基板ケースに回動自在に軸止され、
前記封印カバーを前記基板ケースの正面及び側面を覆う位置に回動させることにより、前記第二カバー固定部と前記基体固定部とが固定可能となることを特徴とする請求項１又は２記載の制御基板の封印構造。
【請求項４】
前記封印カバーには、前記基板ケースが前記基体を介して遊技機内部に固定された状態で、正面視可能な位置に添付される証紙シールの添付部と、前記封印カバーと前記基体とにまたがって添付される封印シールの添付部を設けたことを特徴とする請求項１乃至３のいずれか１項に記載の制御基板の封印構造。
【発明の詳細な説明】
【技術分野】
【０００１】
この発明は、遊技機の制御基板の封印構造に関する。
【背景技術】
【０００２】
スロットマシンなどの遊技機に使用される基板ケースは、ケースの外周をワンウェイネジやかしめピンによって固定封印し、封印部分を破壊しなければケースが開かないように形成されており、封印部分を複数設けて順次使用することによりケースの再利用を可能としていた（特許文献１参照）。
【先行技術文献】
【特許文献】
【０００３】
【特許文献１】特許第３２６１０８４号公報
【発明の概要】
【発明が解決しようとする課題】
【０００４】
しかし、従来の基板ケースにおいても、封印部分がすべて破壊された場合には、ケースの他の部分に損傷が無くても基板ケースを新たに取り替えるしかなく、資源の無駄となっていた。
そこで本願発明は、基板ケースを破壊することなく長期にわたって再利用可能な基板ケースの固定構造を提供することを目的とする。
【課題を解決するための手段】
【０００５】
本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、制御基板(P)を収納する本体（下ケース20）及び蓋体（上ケース10）から構成される基板ケース(1)と、前記基板ケース(1)を取り付けるための遊技機内部に固定される基体(2)と、前記基板ケース(1)及び前記基体(2)に固定される封印カバー(30)と、一度装着するとその一部を破壊しない限り取り外し不能となる封印具（かしめピン40）とから構成される制御基板の封印構造である。
【０００６】
ここで、前記基板ケース(1)は、本体(20)及び蓋体(10)によって箱形に形成される収納箱であって、本体(20)及び蓋体(10)それぞれは箱形でなくてもよい。
また、「基体」とは、基板ケース(1)を固定するベース部分であって、遊技機の筐体の壁面や遊技機内部に設置される装置（例えばリールユニット）に設けられる取り付け板（ベース板70）だけでなく、筐体の壁面や遊技機の内部装置の一部について基板ケース(1)を取り付け可能な形状に形成したようなものも含まれる。
そして、本発明においては、前記封印具(40)として、前記基板ケース(1)と前記封印カバー(30)を固定するためのケース封印具（ヒンジ兼用かしめピン41）と、前記封印カバー(30)と前記基体(2)を固定するための基体封印具（固定用かしめピン42）とを設け、前記基板ケース(1)の一方の端部側には、前記本体(20)及び蓋体(10)を組み合わせた状態で前記ケース封印具(41)を装着可能なケース固定部（ピン穴21,11）を設け、前記基体(2)の一方の端部側には、前記基体封印具(42)を装着可能な基体固定部（ピン穴73）を設け、前記封印カバー(30)の一方の端部側には、前記ケース封印具(41)を装着可能な第一カバー固定部（ピン穴31）を設けるとともに、他方の端部側には、前記基体封印具(42)を装着可能な第二カバー固定部（ピン穴33）を設けてある。
【０００７】
そして、前記基板ケース(1)のケース固定部(21,11)と前記封印カバー(30)の第一カバー固定部(3)に単一のケース封印具(41)を装着することにより、前記基板ケース(1)の本体(20)及び蓋体(10)及び封印カバー(30)を一体的に固定し、前記基体(2)の基体固定部(73)と前記封印カバー(30)の第二カバー固定部(33)に単一の基体封印具(42)を装着することにより、前記封印カバー(30)を前記基体(2)に固定し、前記基体封印具(42)を破壊することにより前記基板ケース(1)を前記基体(2)から取り外し可能とし、前記ケース封印具(41)を破壊することにより前記制御基板(P)を前記基板ケース(1)から取り出し可能とし、前記ケース封印具(41)を破壊しただけでは、前記基板ケース(1)を前記基体(2)から取り外し不能としたことを特徴とする。
【０００８】
ここで、「基板ケース(1)の一方の端部側」とは、基板ケース(1)の板面を正面としたときの上下端部のうちの一方の端部と、左右端部うちの一方の端部のどちらでもよい。また、「封印カバー(30)の一方の端部側」は、封印カバー(30)を基板ケース(1)に取り付けたときには、「基板ケース(1)の一方の端部側」とは反対側の端部側となる。
さらに、ケース封印具(41)の装着方向（ピンの差し込み方向）と、基体封印具(42)の装着方向は、同一であっても異なっていてもよい。つまり、第一カバー固定部(3)と第二カバー固定部(33)は、それぞれが同一の面上に形成されていてもよいし、直交する面上（正面と平面など）に形成されていてもよい。
【０００９】
本発明においては、基板ケース(1)の基体固定部(73)と反対側の端部は、通常のネジなどに基体(2)に固定するようにしてもよい。この場合でも、基体封印具(42)を破壊しなければ、基板ケース(1)を基体(2)から取り外すことはできない。
本発明によれば、制御基板(P)を回収する際には、封印具(40)を破壊するだけでよく、他の構成部品は破壊しなくてもよいため、それらの部品をそのまま再利用することができる。
（請求項２）
（特徴点）
請求項２記載の発明は、上記した請求項１記載の発明の特徴点に加え、前記基体(2)において前記基体固定部(73)と反対側の他方の端部側に、前記基板ケース(1)を支持するための係合部（受け穴74）を設け、前記基板ケース(1)において前記ケース固定部(21,11)と反対側の他方の端部側に、前記係合部(74)と係合可能な被係合部（係合突起24）を設け、前記係合部(74)及び被係合部(24)を係合させた後に、前記封印カバー(30)の第二カバー固定部(33)と前記基体固定部(73)に前記基体封印具(42)を装着することにより、前記基板ケース(10)を前記基体(2)に固定することを特徴とする。
【００１０】
本発明は、基板ケース(1)の一方の端部を基体封印具(42)によって固定し、もう一方の端部側は基体(2)に支持させることにより、基板ケース(1)を基体(2)から取り外し不能に取り付けるように形成したものである。
本発明においては、基体固定部(73)は、基板ケース(1)の「ケース固定部(21,11)と反対側の他方の端部側」を前記係合部(74)と被係合部(24)により支持させた状態で、「基板ケース(1)の一方の端部側」よりも外側（基板ケース(1)の中心を内側とした場合の上下左右方向の外側）となるよう形成されている。
本発明によれば、単一のケース封印具(41)のみによって基板ケース(1)と封印カバー(30)とが固定され、単一の基体封印具(42)のみによって封印カバー(30)が固定されている基板ケース(1)を基体(2)に固定することができるので、封印作業が容易である。
【００１１】
（請求項３）
（特徴点）
請求項３記載の発明は、上記した請求項１又は２記載の発明の特徴点に加え、前記ケース固定部(21,11)は、前記基板ケース(1)の基体(2)への取り付け時に上下に位置する面の少なくともいずれか一方設けられ、前記封印カバー(30)は、前記基板ケース(1)の基体(2)への取り付け時に、基板ケース(1)の正面側となる面及びいずれかの側面となる面を覆うように形成されているとともに、前記第一カバー固定部(31)及び前記ケース固定部(21,11)に装着したケース封印具(41)を回動中心として前記基板ケース(1)に回動自在に軸止され、前記封印カバー(30)を前記基板ケース(1)の正面及び側面を覆う位置に回動させることにより、前記第二カバー固定部(33)と前記基体固定部(73)とが固定可能となることを特徴とする。
【００１２】
本発明において、封印カバー(30)は、基板ケース(1)の上面側及び／又は下面側となる面を覆うことができるように形成されていてもよい。
本発明によれば、基板ケース(1)の基体(2)への取り付け時に、封印カバー(30)を邪魔にならない位置に動かすことができる。また、封印カバー(30)が、正面だけでなく基板ケース(1)のいずれかの側面（右側面又は左側面）を覆うようになっているので、封印カバー(30)によって覆われた部分に、外部からの接触を避けたい部品（例えば結線の接続コネクタなど）を位置させることにより、不正を防止することができる。
（請求項４）
（特徴点）
請求項４記載の発明は、上記した請求項１乃至３のいずれか１項に記載の発明の特徴点に加え、前記封印カバー(30)には、前記基板ケース(1)が前記基体(2)を介して遊技機内部に固定された状態で、正面視可能な位置に添付される証紙シール(53)の添付部（証紙添付部51）と、前記封印カバー(30)と前記基体(2)とにまたがって添付される封印シール(52)の添付部（封印添付部50）を設けたことを特徴とする。
【００１３】
本発明における封印カバー(30)は、取り付け時において正面側となる面が、正面視可能であってかつ証紙シール(53)の添付部を設けることができるような形状（そのような広さを有する平面状）に形成されていることが前提である。
本発明によれば、遊技機に固有な情報を記載した証紙シール(53)と、開封した痕跡が残るようになっている封印シール(52)を、封印カバー(30)にまとめて添付するようにしてあるので、制御基板(P)の回収時には、封印カバー(30)のみを交換すればよく、基板ケース(1)はそのまま再利用できる。
【発明の効果】
【００１４】
本願発明は、以上のように構成されているので、基板ケースを破壊することなく長期にわたって再利用可能な基板ケースの固定構造を提供することができる。
【図面の簡単な説明】
【００１５】
【図１】本発明の実施の形態における基板固定構造の分解斜視図である。
【図２】基体への基板ケースの取り付けを示す斜視図である。
【図３】基板固定構造の正面斜視図である。
【図４】基板ケースへのカバーの取り付けを示す斜視図である。
【図５】基板ケースの部分断面平面図である。
【図６】図５のＡ−Ａ線断面図である。
【図７】図５のＢ−Ｂ線断面図である。
【図８】スロットマシンの分解斜視図である。
【発明を実施するための形態】
【００１６】
本発明を実施するための最良の形態を、図面に基づき説明する。
（基板固定構造３）
本実施の形態における基板固定構造３は、図１に示すように、大きく分けて、制御基板Ｐを収納する基板ケース１と、基板ケースに取り付けられる封印カバー30と、基板ケース１を遊技機の筐体に固定する基体２としてのベース板70と、基板ケース１及び封印カバー30をベース板70に固定するための封印具としてのかしめピン40とから構成されている。
ここで、制御基板Ｐは、特に図示しないが、ＣＰＵ、ＲＯＭ、ＲＡＭなどの電子部品を搭載したプリント基板であり、主として遊技を制御する制御装置として機能するものである。そして制御基板Ｐは、下ケース20の内部に特に図示しない固定ネジにより固定される。
【００１７】
また、ベース板70は、図１に示すように、横長の薄板部材であって、板面を正面としたときの右側の端部にはピン穴73を有する基板固定部71が形成され、左側の端部には手前側に張り出す張り出し部72が形成されている。前記基板固定部71は、図４に示すように、ベース板70に基板ケース１を固定したとき、基板ケース１の正面右側端部よりも右側に位置するようになっている。また、張り出し部72には、２個の角形の受け穴74が上下に二つ並んで形成されている。
なお、図示した例では、ベース板70は、基板ケース１を遊技機の筐体内に固定するための独立した固定部材として設けてあるが、基体２はベース板70のような独立部材に限られず、遊技機の筐体内部に上基板固定部71及び受け穴74を有する張り出し部72を直接形成したようなものも含まれる。
【００１８】
かしめピン40は、図１及び図６に示すように、舌片40Bを備えた頭部40Aと、爪部40Bを有する軸部とから成り、爪部40Bを所定のピン穴に差し込むと、頭部40Aを引きちぎらない限り抜けなくなるようになっている。そして、かしめピン40としては、封印カバー30を上ケース10に支持するためのヒンジ兼用かしめピン41と、封印カバー30をベース板70固定するための固定用かしめピン42が設けられている。
さて、基板ケース１は、遊技機の作動を制御する制御基板Ｐを収納するための薄型箱状のケースであって、図１に示すように、上ケース10と、下ケース20とを備えている。上ケース10は、下ケース20の正面（基板ケース１を遊技機に固定したときに正面側となる面）の開口を塞いで下ケース20を覆う蓋体である。上ケース10の上面には、後述する封印カバー30のピン穴31と合致するピン穴11が形成され、上ケース10の下面には、ピン穴11と対向する位置に、突起穴12が形成されている。
【００１９】
下ケース20は、その上面及び下面に、前記上ケース10を被せたときに上ケース10のピン穴11及び突起穴12と合致するピン穴21及び突起穴22が、それぞれ形成されている。また、下ケース20の正面左側の側面には、側方に突出する係合突起24が設けられている。そして、この係合突起24を、ベース板70の張り出し部72に形成された受け穴74に係合させることにより、下ケース20の左側端部がベース板70に支持されるとともに、この部分が基板ケース１をベース板70に手前側に取り出し不能に係止する側方係合部3Cとして機能するものとなる。なお、上ケース10の左側面は、係合突起24と干渉しないよう開口部となっている。
封印カバー30は、上ケース10の右側を被覆可能な箱形に形成されている。具体的には、図４に示すように、封印カバー30の上面端部にはかしめピン40（ヒンジ兼用かしめピン41）を挿通可能なピン穴31が形成されていると共に、ピン穴31に対向する封印カバー30の下面端部には、上側に突出する円柱状の突起32が設けられている。そして、突起32を上ケース10の突起穴12に係合させ、ピン穴31を、上ケース10の上面に設けられたピン穴11合致させて、ヒンジ兼用かしめピン41を上側から挿入することにより、上ケース10に水平方向に回動自在に軸支されるものである。なお、突起32は、上ケース10の突起穴12を通して下ケース20の突起穴22まで貫通し、突起32によって上ケース10及び下ケース20が固定される。またヒンジ兼用かしめピン41の軸部は、図６に示すように、ピン穴31,11,21をそれぞれ貫通し、上ケース10、下ケース20及び封印カバー30がかしめられる（かしめピン40を破壊しない限り取り外し不能となる）。そして、この部分が、封印カバー30が上ケース10に対して回動するときの回動軸となるヒンジ部3Aとして機能するものとなる。
【００２０】
また、封印カバー30の正面であって軸支側と反対側の端部側には、かしめピン40（固定用かしめピン42）を挿通可能なピン穴33が形成されている。そして、封印カバー30は、下ケース20の係合突起24をベース板70の受け穴74に係合させるとともに、上ケース10の側面側を被覆した状態（図３参照）で、ピン穴33とベース板70のピン穴73を合致させて正面側から固定用かしめピン42を挿入することにより、図７に示すように、封印カバー30とベース板70がかしめられる。そしてこの部分が、基板ケース１をベース板70に固定する側方固定部3Bとして機能するものとなる。
さらに、封印カバー30の上面奥側には、封印シールを貼り付けるための封印添付部50が設けられているとともに、封印カバー30の正面には、証紙を貼り付けるための証紙添付部51が設けられている。
【００２１】
（基板ケース１の封印）
次に、上記した基板固定構造３における基板ケース１の封印手順を説明する。
まず、制御基板Ｐを固定した下ケース20に上ケース10を被せて制御基板Ｐをケース内に収納する。なお、この時点では下ケース20と上ケース10は、特に図示しない係合爪と係合穴の係合によって仮係止される。
続いて、上ケース10の突起穴12に封印カバー30の突起32を係合させて、上ケース10に封印カバー30を取り付ける。すなわち、封印カバー30のピン穴31と、上ケース10のピン穴11と、下ケース20のピン穴21を合致させ、ここに、ヒンジ兼用かしめピン41を装着する。こうして、封印カバー30は上ケース10に水平方向に回動自在に固定されるとともに、上ケース10、下ケース20、封印カバー30がかしめられ、ヒンジ兼用かしめピン41を破壊しない限り、内部に収納された制御基板Ｐは取り出し不能となる。
【００２２】
以上のように組み立てた基板ケース１を、遊技機内部に固定されているベース板70に固定するには、図２に示すように、下ケース20の係合突起24を斜め手前側から張り出し部72の受け穴74に差し込んで、基板ケース１をベース板70と平行になるよう位置させる。そして、封印カバー30の正面が上ケース10の正面と平行になるように位置させる（閉じた状態とする）と、封印カバー30のピン穴33と基板固定部71のピン穴73が合致するので、ここに固定用かしめピン42を装着する。これにより、基板ケース１は、図３に示すように、側方係合部3Cと、側方固定部3Bとによって、ベース板70に固定されるとともに、封印カバー30とベース板70がかしめられ、固定用かしめピン42を破壊しない限り、基板ケース１は取り外し不能となる。この場合、ヒンジ兼用かしめピン41を破壊しても、基板ケース１がベース板70から取り外せない限り、内部に収納された制御基板Ｐは取り出し不能となる。
【００２３】
基板ケース１をベース板70に固定した後は、封印カバー30の上面の封印添付部50（図１参照）に、図３及び図５に示すように、封印カバー30とベース板70とにまたがって封印シール52を貼り付け、封印カバー30の正面の証紙添付部51（図１参照）には証紙シール53を貼り付ける。なお、封印シール52は、一度貼り付けると剥がすときにその痕跡が残るように形成されているものであり、証紙シール53は、登録番号など遊技機固有の情報が記載されているものである。こうして、基板ケース１は、ベース板70あるいはベース板70を固定した交換ユニット200を介して、遊技機内部に封印される。
ここで、下ケース20の内側であってピン穴21の下方に、図６に示すように、透明なピン受け容器60を設けてもよい。これは、ヒンジ兼用かしめピン41の頭部40Aを破壊したときに、下ケース20内に落下する軸部を受け入れるためのものである。このようなピン受け容器60を設けておくことにより、かしめを解除したことが一見して判り、不正な基板ケース１の開封を防止することができる。また、ピン受け容器60を下ケース20に着脱自在に形成すれば、破壊後のかしめピン40の残骸を取り出してから再度ピン受け容器60を取り付けることができる。同様に、特に図示しないが、ベース板70のピン穴73の下側であって正面側から視認可能となる位置に、固定用かしめピン42を破壊したときに落下する軸部を受け入れるためのピン受け容器を設けてもよい。
【００２４】
（基板ケース１の遊技機への固定例）
上記した基板固定構造３を用いて基板ケース１を遊技機内部に封印固定する場合、遊技機の筐体の内面、例えば裏板にベース板70を固定し、これに基板ケース１を固定することができるのは言うまでもないが、本実施の形態では、基板ケース１を、図８に示すような分離型スロットマシンＳの交換ユニット200に封印固定する例を述べる。
ここで、スロットマシンＳは、図８に示すように、大きく分けて、正面側に開口部110を有する筐体100、筐体100内部に着脱自在に設けられる交換ユニット200、筐体100の開口部110を開閉自在な前扉とから構成されている。そして、この前扉は、筐体100の開口上部130を開閉可能な上扉300と、筐体100の開口下部140を開閉可能な下扉400とに分割されている。前記下扉400は筐体100に回動自在に取り付けられ、前記上扉300は交換ユニット200の支持体210に回動自在に取り付けられる。そして、交換ユニット200を筐体100の開口上部130に収納固定した状態で、前記上扉300を閉じてロックすることにより、開口上部130が閉塞されるようになっている。
【００２５】
交換ユニット200は、方形箱状の金属枠からなる支持体210を備え、この支持体210には、回転リールを備えたリールユニット220と、前記基板ケース１が固定される。そして、交換ユニット200を筐体に固定することにより、基板ケース１も筐体内部に固定される。すなわち、支持体210の基板取り付け部分に前記したベース板70を固定するか、あるいは基板取り付け部分をベース板70と同様の構造にすることにより、支持体210が、基板ケース１を遊技機内部に固定するための基体２として機能することとなる。
以上のように、本実施の形態によれば、最低２個のかしめピン40によって、基板ケース１を遊技機内部に固定できる。また、基板交換時には、封印シール52を貼り付ける封印カバー30については取り替えが必要であるものの、封印カバー30よりもはるかに嵩の大きい上ケース10及び下ケース20はそのまま再利用でき、資源の有効利用やコスト軽減に役立つものである。ここで、証紙シール53も封印カバー30に添付するようにしたことから、基板ケース１を再利用する際、貼り付けた証紙シール53を剥がす手間がかからない。
【００２６】
また、本実施の形態では、封印カバー30を、上ケース10を上下から挟むようにして取り付ける構造にしてあるので、結果として封印カバー30が回動自在となり、取り付け作業を容易に行えるとともに、単一のヒンジ兼用かしめピン41によるだけでも、上ケース10及び下ケース20の固定を確実にすることができる。
さらに、封印カバー30は、基板ケース１の一方の端部側（正面右側）の側面及び上下面を覆うような箱型に形成してあるので、例えば、基板ケース１の封印カバー30によって覆われる部分に、制御基板Ｐと遊技機の内部装置とを接続する結線のコネクタ部分を位置させるようにすれば、コネクタを抜いて不正な基板を取り付けるような違法行為を防止することができる。
【００２７】
なお、基板ケース１の形状や設置方向によっては、封印カバー30を垂直方向に回動可能に取り付けてもよく、封印カバー30を２個のヒンジ兼用かしめピン41で固定するようにしてもよい。さらに、封印カバー30の回動軸を、上ケース10、下ケース20、封印カバー30を一体的にかしめるかしめ部（かしめピン40とピン穴）とは別に設けてもよい。
ところで、本発明には、封印カバー30が回動しないように形成されたものも含まれる。例えば、特に図示しないが、クランク状に屈曲する板部材からなる封印カバー30を、一方側は上ケース10の正面にかしめピン40によって固定し、他方側はベース板70の基板固定部71にかしめピン40によって固定するようにしてもよい。このように形成しても、かしめピン40を両方破壊しなければ、基板ケース１内部の基板は取り出すことができず、また基板交換の際には、封印カバー30だけ取り替えれば、上ケース10及び下ケース20はそのまま再利用できる。
【符号の説明】
【００２８】
Ｓ  スロットマシン（遊技機）      Ｐ  制御基板
１  基板ケース                    ２  基体
３  基板固定構造
10  上ケース（蓋体）              11  ピン穴（ケース固定部）
20  下ケース（本体）              21  ピン穴（ケース固定部）
24  係合突起（被係合部）
30  封印カバー                    31  ピン穴（第一カバー固定部）
32  突起                          33  ピン穴（第二カバー固定部）
40  かしめピン（封印具）          41  ヒンジ兼用かしめピン（ケース封印具）
42  固定用かしめピン（基体封印具）
50  封印添付部                    51  証紙添付部
70  ベース板                      73  ピン穴（基体固定部）
74  受け穴（係合部）
【図１】
2010178769.tif 000003
【図２】
2010178769.tif 000004
【図３】
2010178769.tif 000005
【図４】
2010178769.tif 000006
【図５】
2010178769.tif 000007
【図６】
2010178769.tif 000008
【図７】
2010178769.tif 000009
【図８】
2010178769.tif 000010